(57)【要約】【課題】CDやDVDの記録媒体の販売時に利用されるスピンドルケースを、記録後の媒体を収納するために利用する際に、整理に便利な、使い勝手の良いディスク状のインデックスを提供する。【解決手段】ディスク状インデックスはディスク状記録媒体よりも中心穴からみて外側に位置している外周端部と、ガイド軸挿入部を有することを特徴とするディスク状インデックスが提供される。本構造を用いることで、収納する光ディスクより径の大きな部分ができることにより、ディスクを分類するためのインデックスとすることが可能になる。【選択図】図１
2006341912.tif 000002
【特許請求の範囲】
【請求項１】
ディスク状記録媒体の中心穴にガイド軸を挿入することによって複数のディスク状記録媒体を厚み方向に重ねて収納するディスク状記録媒体の収納体に用いられるディスク状インデックスであって、
前記ディスク状インデックスは前記ディスク状記録媒体よりも前記中心穴からみて外側に位置している外周端部と、
前記ガイド軸挿入部を有することを特徴とするディスク状インデックス。
【請求項２】
前記ディスク状インデックスの外周端部の全部が、前記ディスク状記録媒体よりも前記中心穴からみて外側に位置していることを特徴とする請求項1記載のディスク状インデックス。
【請求項３】
前記ディスク状インデックスの外周端部の一部が前記ディスク状記録媒体よりも前記中心穴からみて外側に位置し、且つ、その他の部分は前記ディスク状記録媒体と前記中心穴からみて同一に位置していることを特徴とする請求項1記載のディスク状インデックス。
【請求項４】
前記ガイド軸挿入部が、前記ディスク状インデックスの中心から外周端部に亘って形成されていることを特徴とする請求項１〜３記載のディスク状インデックス。
【請求項５】
前記ディスク状インデックスには凸部が設けられていることを特徴とする請求項１〜４記載のディスク状インデックス。
【請求項６】
前記ディスク状インデックスは着色されていることを特徴とする請求項１〜５記載のディスク状インデックス。
【発明の詳細な説明】
【技術分野】
【０００１】
この発明は、光ディスク等のディスク状記録媒体を多数収納するための収納体用のインデックスに関する。
【背景技術】
【０００２】
近年、ＣＤ−ＲやＤＶＤ−Ｒに代表される光ディスク等のディスク状記録媒体は、コンピュータ用のデータ記録用途や、映像記録用の記録媒体として一般へ広く普及し、大量のディスクを使用するいわゆるヘビーユーザーが増加した。そのようなユーザー向けとして、図４に示すようなプラスチック製スピンドルケースに多数枚のディスク状記録媒体を入れた商品が市販されている。この種の収納ケースの一例が、下記特許文献１に開示されている。このような収納ケースにディスク状記録媒体は、ディスクの中心穴に収納ケースのガイド軸を通すことにより保持され集積された形態で販売されている。
【０００３】
【特許文献１】特開２００１−３５４２８８
【発明の開示】
【発明が解決しようとする課題】
【０００４】
図４のようなスピンドルケースにより1度に大量のディスク状記録媒体を購入した場合、ユーザーは、記録した後の媒体については個別のケースに移し保管することが多い。何故なら、スピンドルケースは、大量のディスク状記録媒体を膜厚方向に重ねて収納するため、任意のディスクを即座に選び出し、取り出すのが困難であり、管理に不便だからである。このためユーザーは、別個に個別ケースを用意しなければならず、また使用後にはスピンドルケースを廃棄することになる。スピンドルケースはその寸法が大きいため大きなゴミとなってしまう。これは近年の省資源・省廃棄物という傾向にも逆行することになる。
【０００５】
また、1枚づつ個別ケースで保管すると、収納スペースをとり、反対に管理が煩雑になる場合もある。例えば、連続テレビドラマなど同じ用途に複数枚まとめて使用した場合、まとめて一つのケースに保管した方が、管理しやすく、収納スペースも少なくすむ。
【課題を解決するための手段】
【０００６】
上述した課題を解決するために、本発明者らは、大量のディスク状記録媒体の管理、収納に、記録媒体購入時のスピンドルケースを、記録後もそのまま保存用の収納体として、使い勝手良く使用することについて検討した。その結果、本発明に至ったものである。
【０００７】
すなわち、本発明の第一の態様に従えば、ディスク状記録媒体の中心穴にガイド軸を挿入することによって複数のディスク状記録媒体を厚み方向に重ねて収納するディスク状記録媒体の収納体に用いられるディスク状インデックスであって、前記ディスク状インデックスは前記ディスク状記録媒体よりも前記中心穴からみて外側に位置している外周端部と、前記ガイド軸挿入部を有することを特徴とするディスク状インデックスが提供される。本構造を用いることで、収納する光ディスクより径の大きな部分ができることにより、ディスクを分類するためのインデックスとすることが可能になる。
【０００８】
また、本発明の第２の態様に従えば、さらに前記ディスク状インデックスの外周端部の全部が、前記ディスク状記録媒体よりも前記中心穴からみて外側に位置していることを特徴とするディスク状インデックスが提供される。本構造を用いることで、インデックスが収納する光ディスクより大径となるため、例えばインデックスの外周端部をつかんでディスクを持ち上げることができるので、収納するディスクの扱いが容易になる。
【０００９】
また、本発明の第３の態様に従えば、さらに前記ディスク状インデックスの外周端部の一部が前記ディスク状記録媒体よりも前記中心穴からみて外側に位置し、且つ、その他の部分は前記ディスク状記録媒体と前記中心穴からみて同一に位置していることを特徴とするディスク状インデックスが提供される。本構造を用いることで、インデックス部分以外の部分が収納する光ディスクと同径になるので、ディスク状インデックスを複数枚用いた際、インデックス部分の角度をずらして複数枚のインデックスの認識が可能になる。
【００１０】
また、本発明の第４の態様に従えば、さらに前記ガイド軸挿入部が、前記ディスク状インデックスの中心から外周端部に亘って形成されていることを特徴とするディスク状インデックスが提供される。本構造を用いることで、収納体に収納している複数のディスクの間であっても、収納しているディスクを一旦収納体から取り除くことなく、ディスク状インデックスを任意の位置に挿入することが可能になる。
【００１１】
また、本発明の第５の態様に従えば、さらにディスク状インデックスには凸部が設けられていることを特徴とするディスク状インデックスが提供される。本構造を用いることで、凸部をディスク状インデックスのディスクと重なる部分に設けるので、表面がフラットな場合に比べて接触面積を減らすことができ、収納するディスクとの貼り付きを防ぐことができる。
【００１２】
また、本発明の第６の態様に従えば、さらに、前記ディスク状インデックスは着色されていることを特徴とするディスク状インデックスが提供される。本構造を用いることで、１つの収納体に複数のディスク状インデックスを用いても、例えば色毎に分類を区別することができ、整理が容易になる。
【００１３】
なお、インデックスとして設けるディスク径より大きくなる部分の幅としては、カバーとなるケースとのクリアランスを考慮して10ｍｍ以下、好ましくは5ｍｍ以下である。
【発明の効果】
【００１４】
本発明のディスク状インデックスを用いることにより、大量のディスク状記録媒体の管理や収納を、記録媒体購入時のスピンドルケース等の収納体を用いて効率的に行うことができる。購入時の収納体をそのまま使用可能であり、個別ケースも不要なので、省資源化・省廃棄物化にも寄与できる。
【発明を実施するための最良の形態】
【００１５】
本発明について、実施例を用いて説明するが、本発明は以下の実施例には限られるものではない。
【００１６】
（実施例１）
本発明の第１の形態を図１に示す。図１は、ドラマA、ドラマB、ドラマCにそれぞれ複数枚づつ記録媒体をスピンドルケースに収納した場合における本発明のディスク状インデックスの使用例である。ディスク状インデックス１は、直径130ｍｍで厚み0.6ｍｍのポリカーボネート製で、収納体２の有するガイド軸３を挿入する孔が中心に設けられ、この孔にガイド軸３を通すことにより、直径120ｍｍのディスク状記録媒体４と同様に収納体に保持される。この孔は、収納する光ディスクと同一の径で直径15ｍｍに形成した。
【００１７】
スピンドルケース等にディスク状記録媒体を厚み方向に重ねて保管する場合、このディスク状インデックス１をスピンドルケースに集積された記録媒体４の任意の位置に挟むことにより、A、B、Cそれぞれ区分けすることができ、購入時のスピンドルケースを用いて記録媒体を任意の枚数に区画し、管理、して収納することを可能にするものである。
【００１８】
本実施例のディスク状インデックス1は、当該インデックスを持ち上げることにより、ディスク状インデックスより上に積層してある記録媒体も一緒に持ち上げられる。ディスク状インデックス1はスピンドルケースに収納したディスク状記録媒体よりも径を大きくしたので、インデックスを入れた任意の位置のディスクを即座に選択することができ、非常に管理しやすくなる。また、ディスク状インデックスの径を大きくした部分に記録媒体の記録内容を記載可能であり、また、ディスク状インデックスにカラーバリエーションをもたせることにより、カラーの相違による管理も可能である。
【００１９】
（実施例２）
本発明の第２の形態を図２に示す。図２に示すように、ディスク状インデックス1は直径120ｍｍで厚み0.6ｍｍのポリカーボネート製で、収納体２の有するガイド軸３を挿入する孔が中心に設けられ、外周部の一部分のみを直径130ｍｍに拡張して拡張部５を形成した。拡張部は実施例１と同様に、拡張部５を掴み、上に積層されているディスクを持ち上げ、任意の位置のディスクを選択することが可能である。この拡張部５は、ディスクの記録内容を記載して、見出しとして使用するのにも便利である。
【００２０】
（実施例３）
本発明の第３の形態を図３に示す。ディスク状インデックス1は、ガイド軸を挿入する孔の形成方法が異なる以外は実施例２と同様である。ディスク状インデックス１に形成するガイド軸の挿入部は、中心から端部に向かって、収納するディスクの孔と同一の幅で切り欠きが形成されている。本実施例のディスク状インデックスは、記録媒体を積み重ねた状態でも、この切り欠きを利用することにより集積された記録媒体を取り出さずに、収納体の側面方向から、ガイド軸に対して挿入できる。切り欠きの外周端部７はエッジを無くして幅広に形成したので、ガイド軸の挿入が容易になる。また、中心付近には、インデックスがガイド軸から外れないようにストッパーとなる突起８を設けた。
【００２１】
また、本実施例のディスク状インデックスは、対向するディスク状記録媒体表面の記録再生領域以外の部分に対応する直径23ｍｍの位置に、幅2ｍｍ高さ0.1ｍｍの円環状凸部６を有する。この凸部６により、ディスク状記録媒体の信号面と本発明のディスク状インデックスの収納中の貼り付きが防止でき、特に長期保存をする場合安心である。
【００２２】
本発明のディスク状インデックスは、インデックスより上に積層してあるディスクを一緒に持ち上げる事が可能な剛性を備えることが好ましい。本発明のディスク状インデックスの材質、膜厚は、特に問わないが、上記剛性を備える点を考慮すると、材質としては、紙、プラスッチク等を用いることが好ましい。
【００２３】
また、本発明のディスク状インデックスを用いてスピンドルケースに収納する際は、集積したディスク上の空間を塞ぐストッパを用いることが好ましい。ストッパを用いることで、スピンドルケース搬送時にディスクを固定することができる。ストッパーの材質は、クッション性を有することが好ましく、ウレタンが好ましい。
また、表面にインクジェットプリンタで印刷可能な印刷層を設ければ、収納するCDやDVD同様、写真等の画像を形成することができ、見出しとして用いるのに好適である。
【図面の簡単な説明】
【００２４】
【図１】実施例１に基づくディスク状記録媒体収納時におけるディスク状インデックス
【図２】実施例２に基づくディスク状記録媒体収納時におけるディスク状インデックス
【図３】実施例３に基づくディスク状インデックス
【図４】従来のスピンドルケースの例
【符号の説明】
【００２５】
１    ディスク状インデックス
２    収納体
３    ガイド軸
４    ディスク状記録媒体
５    拡張部
６    円環状凸部
７    ガイド軸挿入用切り欠き
８    抜け防止ストッパー
【図１】
2006341912.tif 000003
【図２】
2006341912.tif 000004
【図３】
2006341912.tif 000005
【図４】
2006341912.tif 000006